(57)【特許請求の範囲】
【請求項１】
広告情報に続いて端末装置に表示される第１のコンテンツ情報の表示終了後に、当該端末装置に前記広告情報に関連するアンケートを質問情報として配信する配信部と、
前記質問情報に対する回答情報を前記端末装置から取得する回答取得部と、
前記回答取得部により取得した前記回答情報に基づいて前記第１のコンテンツ情報に続く第２のコンテンツ情報の表示を前記端末装置に実行させる表示制御部と、
を備え、
前記表示制御部は、
前記回答取得部によって取得された前記回答情報において、前記アンケートの設問に対して回答が記されていない場合、前記端末装置による前記第２のコンテンツ情報の表示を制限する
ことを特徴とする表示制御装置。
【請求項２】
前記広告情報は所定のタイミングでスキップ可能な動画広告情報であり、
前記配信部は、
スキップされるまでの前記動画広告情報の内容に関連した設問を含む質問情報を前記端末装置に配信する
ことを特徴とする請求項１に記載の表示制御装置。
【請求項３】
前記回答取得部によって取得された前記回答情報に応じて、前記広告情報とは異なる属性の広告情報を、前記第２のコンテンツ情報よりも前に前記端末装置に配信する広告配信部を備える
ことを特徴とする請求項１または２に記載の表示制御装置。
【請求項４】
前記回答取得部によって取得された前記回答情報に応じて、前記広告情報を、前記第２のコンテンツ情報よりも前に、前記端末装置に再配信する広告配信部を備える
ことを特徴とする請求項１または２に記載の表示制御装置。
【請求項５】
前記回答取得部は、取得した前記回答情報を集計可能である
ことを特徴とする請求項１〜４のいずれか一つに記載の表示制御装置。
【請求項６】
前記広告配信部は、
前記第１のコンテンツ情報を表示中の前記端末装置を利用するユーザの属性に対応付けられた広告情報を前記端末装置に配信する
ことを特徴とする請求項３または４に記載の表示制御装置。
【請求項７】
前記第２のコンテンツ情報は、前記第１のコンテンツ情報の続きである
ことを特徴とする請求項１〜６のいずれか一つに記載の表示制御装置。
【請求項８】
コンピュータが実行する表示制御方法であって、
広告情報に続いて端末装置に表示される第１のコンテンツ情報の表示終了後に、当該端末装置に前記広告情報に関連するアンケートを配信するアンケート配信工程と、
前記アンケートに対する回答情報を前記端末装置から取得する回答取得工程と、
前記回答取得工程により取得した前記回答情報に基づいて前記第１のコンテンツ情報に続く第２のコンテンツ情報の表示を前記端末装置に実行させる表示制御工程と
を含み、
前記表示制御工程は、
前記回答取得工程によって取得された前記回答情報において、前記アンケートの設問に対して回答が記されていない場合、前記端末装置による前記第２のコンテンツ情報の表示を制限する
ことを特徴とする表示制御方法。
【請求項９】
コンピュータに、
広告情報に続いて端末装置に表示される第１のコンテンツ情報の表示終了後に、当該端末装置に前記広告情報に関連するアンケートを配信するアンケート配信手順と、
前記アンケートに対する回答情報を前記端末装置から取得する回答取得手順と、
前記回答取得手順により取得した前記回答情報に基づいて前記第１のコンテンツ情報に続く第２のコンテンツ情報の表示を前記端末装置に実行させる表示制御手順と
を実行させ、
前記表示制御手順は、
前記回答取得手順によって取得された前記回答情報において、前記アンケートの設問に対して回答が記されていない場合、前記端末装置による前記第２のコンテンツ情報の表示を制限する
ことを特徴とする表示制御プログラム。
【請求項１０】
広告情報に続いて第１のコンテンツ情報を表示部に表示する第１コンテンツ表示手順と、
前記第１のコンテンツ情報の表示終了後に前記広告情報に関連するアンケートを質問情報として前記表示部に表示する質問情報表示手順と、
前記質問情報への回答情報を取得する回答取得手順と、
前記回答情報または前記回答情報に応じた情報を含む表示制御要求をサーバ装置へ送信する送信手順と、
前記表示制御要求に応じて前記サーバ装置から送信される表示制御情報に基づき、前記第１のコンテンツ情報に続く第２のコンテンツ情報を表示する第２コンテンツ表示手順と、
をコンピュータに実行させ、
前記第２コンテンツ表示手順は、
前記回答取得手順によって取得された前記回答情報において、前記アンケートの設問に対して回答が記されていない場合、前記表示部による前記第２のコンテンツ情報の表示を制限する
ことを特徴とする表示制御プログラム
【発明の詳細な説明】
【技術分野】
【０００１】
本発明は、表示制御装置、表示制御方法および表示制御プログラムに関する。
【背景技術】
【０００２】
近年、インターネットの飛躍的な普及および配信技術の向上により、インターネットを介して多様なコンテンツの閲覧が可能になっている。それに伴い、インターネットを介した広告配信も盛んに行われるようになってきた。
【０００３】
例えば、動画などのコンテンツ情報に広告情報を含ませて、動画閲覧中のユーザに広告情報を提供することが行われている。動画などのコンテンツ情報を広告媒体とし、かかるコンテンツ情報に広告情報を含ませる技術として、コンテンツ情報内に含ませた広告挿入ポイントと、広告情報に含ませた広告タグとを関連付け、広告挿入ポイントを判定した場合に所定の広告情報を表示可能としたものがある（例えば、特許文献１を参照。）。
【先行技術文献】
【特許文献】
【０００４】
【特許文献１】特表２０１２−５２６３２１号公報
【発明の概要】
【発明が解決しようとする課題】
【０００５】
しかしながら、上述の従来の技術などでは、動画などのコンテンツを閲覧中に広告が表示されるのみであり、かかる広告をより確実にユーザに視聴させようとする技術思想はなかった。そのため、例えば広告主（スポンサ）が期待するほどの広告効果が得られない場合がある。また、広告配信業者や広告媒体を有する媒体社からすれば、広告料の増収を図るためにも、広告情報をユーザにより確実に視聴させることのできる技術の開発が望まれる。
【０００６】
本願は、上記に鑑みてなされたものであって、端末装置に対する効果的な広告情報の表示制御が可能な表示制御装置、表示制御方法および表示制御プログラムを提供することを目的とする。
【課題を解決するための手段】
【０００７】
本願に係る表示制御装置は、配信部と、回答取得部と、表示制御部とを備える。質問配信部は、広告情報に続いて端末装置に表示される第１のコンテンツ情報の表示終了後に、当該端末装置に前記広告情報に関連するアンケートを質問情報として配信する。回答取得部は、前記質問情報に対する回答情報を前記端末装置から取得する。表示制御部は、前記回答取得部により取得した前記回答情報に基づいて前記第１のコンテンツ情報に続く第２のコンテンツ情報の表示を前記端末装置に実行させるとともに、前記回答取得部によって取得された前記回答情報において、前記アンケートの設問に対して回答が記されていない場合、前記端末装置による前記第２のコンテンツ情報の表示を制限する。
【発明の効果】
【０００８】
実施形態の一態様によれば、端末装置に対する効果的な広告情報の表示制御が可能な表示制御装置、表示制御方法および表示制御プログラムを提供することができる。
【図面の簡単な説明】
【０００９】
【図１】図１は、実施形態に係る表示制御処理の一例を示す概要説明図である。
【図２】図２は、実施形態に係る表示制御装置の構成の一例を示す図である。
【図３】図３は、配信要求に含まれる情報の一例を示す図である。
【図４】図４は、ユーザ情報の一例を示す図である。
【図５】図５は、広告情報の一例を示す図である。
【図６】図６は、質問情報の一例を示す図である。
【図７】図７は、実施形態に係る表示制御装置の処理の一例を示すフローチャートである。
【図８】図８は、広告情報の視聴時間とアンケート内容との関係の一例を示す図である。
【図９】図９は、表示制御装置による表示制御処理結果の一例を示す概要説明図である。
【図１０】図１０は、他の実施形態に係るシステムに含まれる端末装置の構成の一例を示す図である。
【図１１】図１１は、他の実施形態に係る表示制御装置を含むシステムの一例を示す図である。
【図１２】図１２は、表示制御装置などの機能を実現するコンピュータの一例を示すハードウェア構成図である。
【発明を実施するための形態】
【００１０】
以下に、本願に係る表示制御装置、表示制御方法および表示制御プログラムの実施形態について図面を参照しつつ詳細に説明する。なお、この実施形態により本願に係る表示制御装置、表示制御方法および表示制御プログラムが限定されるものではない。
【００１１】
［１．表示制御処理の概要］
以下、実施形態に係る表示制御処理の概要について説明する。実施形態に係る表示制御処理は、後述する表示制御装置で実行される。本実施形態における表示制御処理では、視聴者（以下「ユーザ」とする場合がある）が端末装置を利用してコンテンツを無料で視聴できるかわりに、コンテンツ表示前に表示される広告に関連するアンケートをコンテンツの中途でユーザに求めるようにしている。そして、表示制御装置は、ユーザによるアンケートへの回答に基づいて、コンテンツの続きの表示をユーザ端末に実行させる。つまり、ユーザからすれば、アンケートに答えなければ、コンテンツの続きが視聴できないように表示制御される。
【００１２】
実施形態に係る表示制御処理について、より具体的に説明する。図１は、実施形態に係る表示制御処理の一例を示す概要説明図である。
【００１３】
図１に示すように、第１の動画コンテンツ１０１と第２の動画コンテンツ１０２とから構成された動画コンテンツ１００を、ストリーム配信やダウンロード配信によってパソコンなどのユーザ端末のディスプレイで表示しているとする。動画コンテンツ１００が例えば映画であれば、映画の前編が第１の動画コンテンツ１０１であり、映画の後編が第２の動画コンテンツ１０２である。なお、図１では、動画コンテンツ１００の中で未表示部分を反転表示で示す。
【００１４】
動画コンテンツ１００が配信されると、第１の動画コンテンツ１０１に先立って、先ず広告情報である動画広告１１０が表示される。ここでは、動画広告１１０を、例えば、自動車の１５秒広告とする。そして、かかる動画広告１１０が終了してはじめて映画の前編である第１の動画コンテンツ１０１が表示される。
【００１５】
第１の動画コンテンツ１０１の表示が終わると、映画の後編となる第２の動画コンテンツ１０２ではなく、質問情報として所定のアンケート１２０が画面表示される。アンケート１２０に含まれるアンケートは、第１の動画コンテンツ１０１の前に表示された自動車の１５秒広告である動画広告１１０に関連した設問から構成される。
【００１６】
表示されたアンケートに対する回答をユーザが送信すると、映画の後編である第２のコンテンツ１０２が表示され、ユーザは、映画全編を無料で視聴することができる。このとき、本実施形態における表示制御処理では、アンケート結果（ユーザの回答）によっては、第２の動画コンテンツ１０２の表示を制限することができる。
【００１７】
すなわち、ユーザからすれば、アンケートに対する自分の回答結果によって視聴制限を受けることになるため、アンケートに対して真摯に答えるようになる。また、アンケートに対して真摯に答えるためには第１の動画コンテンツ１０１に先立って表示される動画広告１１０についても真剣に視聴するようになる。したがって、動画広告１１０を動画コンテンツ１００に単に付加する場合に比べて広告効果を向上させることができる。
【００１８】
ここで、表示制限とは、例えば、第２の動画コンテンツ１０２が全く表示されない状態にする、第２の動画コンテンツ１０２の冒頭場面の静止画のみの表示とする、表示画面にノイズを加える、音声出力を停止するなど、さまざまな制限が考えられる。
【００１９】
また、例えば、ユーザのアンケート結果として、設問に対する回答率が著しく低い場合は、設問を変えた他のアンケートを配信することもできる。
【００２０】
また、動画広告１１０は、ユーザ属性に対応付けられたものとすれば、ユーザの興味、関心などに合致した広告となるため、広告効果をさらに高めることができる。ユーザ属性とは、例えば、性別、年齢、職業、趣味などであり、ユーザＩＤと対応付けられ、ユーザ情報として表示制御装置に備えられる。なお、ユーザ情報は、必ずしも表示制御装置が備えるのではなく、他のサーバなどに備えられていてもよい。
【００２１】
ところで、ここでは、動画広告１１０やアンケート１２０は、動画コンテンツ１００と同じ表示領域に表示されるものとしているが、動画コンテンツ１００とは別枠の表示領域に表示させてもよい。その場合、動画広告１１０やアンケート１２０の表示中は、動画コンテンツ１００は表示が停止されるように制御されるものとする。また、アンケート１２０は、必ずしも動画広告１１０と１対１で対応する必要はない。例えば、アンケート１２０は、広告情報の属性と対応してテーブル化されており、広告情報の属性に応じてアンケート１２０が選択されるものであってもよい。また、質問情報をアンケートとして説明したが、例えば、動画広告１１０に関連するクイズなどであっても構わない。
【００２２】
［２．表示制御装置１］
次に、上述した表示制御処理を行う表示制御装置１について説明する。図２は、実施形態に係る表示制御装置１の構成の一例を示す図、図３は、配信要求に含まれる情報の一例を示す図である。
【００２３】
図２に示すように、実施形態に係る表示制御装置１は、通信部２と、制御部３と、記憶部４とを有する。通信部２は、通信ネットワーク６との間で情報の送受信を行う通信インターフェースである。表示制御装置１は、通信部２および通信ネットワーク６を介して端末装置（以下「ユーザ端末５」とする）との間で各種の情報を送受信することができる。例えば、通信部２は、ユーザ端末５からユーザＩＤを含んだコンテンツの配信要求を受信し、ユーザの要求に応じたコンテンツ情報をユーザ端末５へ送信する。
【００２４】
ここで、ユーザ端末５は、例えば、ユーザによって利用されるＰＣ（Personal  Computer）、ＰＤＡ（Personal  Digital  Assistant）、スマートフォンなどの端末装置であり、ブラウザアプリケーション（以下、ブラウザと記載する）がインストールされている。
【００２５】
記憶部４は、各種情報を記憶するデバイスである。例えば、記憶部４としては、ＲＡＭ（Random  Access  Memory）、フラッシュメモリなどの半導体メモリ素子や、ハードディスク、光ディスクなどの記憶装置が挙げられる。記憶部４は、制御部３で実行されるＯＳ（Operating  System）や表示制御プログラム４１、情報配信プログラム４６などの各種プログラムを記憶する。さらに、記憶部４は、アンケートＤＢ４２、ユーザＤＢ４３、広告ＤＢ４４、コンテンツＤＢ４５を有する。なお、ＤＢとは「データベース」を指す。
【００２６】
ここで、ユーザＤＢ４３、広告ＤＢ４４、コンテンツＤＢ４５、アンケートＤＢ４２に格納されたユーザ情報、広告情報、コンテンツ情報、アンケート情報について説明する。図４は、ユーザ情報の一例を示す図、図５は、広告情報の一例を示す図、図６は、アンケート情報の一例を示す図である。
【００２７】
ユーザＤＢ４３に記憶されたユーザ情報は、ユーザに関する情報を記憶したテーブルである。図４に示すように、ユーザ情報を示すテーブルには、ユーザＩＤやユーザ属性などの項目が含まれ、ユーザＩＤとユーザ属性とが関連付けられている。ユーザ属性の項目には、ユーザの性別、年齢、職業、趣味などが含まれる。
【００２８】
図４に示す例では、ユーザＩＤ「００００１」は、ユーザ属性として、性別は「女性」であり、年齢は「１９才」であり、職業は「学生」であり、趣味は「旅行」であることを示す。また、ユーザＩＤ「００００２」は、ユーザ属性として、性別は「男性」であり、年齢は「３５才」であり、職業は「会社員」であり、趣味は「ドライブ」であることを示す。
【００２９】
広告ＤＢ４４に記憶される広告情報は、動画広告１１０（図１参照）などの広告情報を記憶したテーブルである。図５に示すように、広告情報を示すテーブルには、広告項目とこれに対応付けられたユーザ属性の項目が含まれ、広告とユーザ属性とが関連付けられている。ユーザ属性の項目には、ユーザの性別、年齢、趣味などが含まれる。
【００３０】
図５に示す例では、「車」の広告には、ユーザ属性として、性別は「男性」および「女性」の両方が対応付けられ、年齢は「３０代」が、趣味は「ドライブ」が対応付けられていることを示す。また、「化粧品」の広告には、ユーザ属性として、性別は「女性」が対応付けられ、年齢は「２０代」が対応付けられていることを示す。また、「酒」の広告には、ユーザ属性として、性別は「男性」が対応付けられ、年齢は「４０代」が対応付けられていることを示す。
【００３１】
アンケートＤＢ４２に記憶されるアンケート情報は質問情報の一例であり、動画広告１１０（図１参照）に関連する設問が設けられたアンケートである。質問情報としてのアンケートには、図６に示すように、１つの動画広告１１０に対してＱ１〜Ｑ９までの９つの設問が記載される。
【００３２】
ところで、アンケート情報は、動画広告１１０に関連付けられてアンケートＤＢ２に格納されているものとしたが、広告ＤＢ４４に記憶されるようにしてもよい。また、アンケート情報は、例えば、広告主が入稿してきてもよいし、例えば、表示制御装置１が所定のフォーマットをもっており、表示制御装置１を運用する広告配信事業者などが自動生成してもよい。
【００３３】
図６に示す例では、例えばＱ１では「この商品を知っていましたか？」、例えばＱ４では「ＢＧＭは、この商品のイメージに合っていましたか？」、例えばＱ９では「商品の色は、何色がよいですか？」などの設問が用意されている。設問への解答は、基本的には答えやすいように選択式としているが、記述式の設問があっても構わない。設問内容や設問数は、広告主や広告制作者、広告媒体社などの広告配信側が入手したい広告関連情報が効果的に得られるように、適宜設定される。
【００３４】
図２に戻り、表示制御装置１の説明を続ける。制御部３は、表示制御装置１を制御するデバイスであり、ユーザ端末５へコンテンツや広告の配信、およびユーザ端末５の表示制御処理を行う。制御部３は、例えば、ＡＳＩＣ（Application  Specific  Integrated  Circuit）やＦＰＧＡ（Field  Programmable  Gate  Array）等の集積回路により実現される。
【００３５】
制御部３は、内部のＣＰＵ（Central  Processing  Unit）またはＭＰＵ（Micro  Processing  Unit）によって、表示制御プログラム４１、情報配信プログラム４６などの各プログラムがＲＡＭを作業領域として実行されることによって、各種の機能部としての役割を果たす。例えば、制御部３は、表示制御プログラム４１がＲＡＭを作業領域として実行されることによって、アンケート配信部３１、回答取得部３６、表示制御部３５として機能する。また、制御部３は、情報配信プログラム４６がＲＡＭを作業領域として実行されることによって、配信要求受付部３３、コンテンツ配信部３４、広告配信部３２として機能する。なお、アンケート配信部３１については、情報配信プログラム４６によって機能する構成としてもよい。
【００３６】
配信要求受付部３３は、ユーザ端末５からのコンテンツ配信要求や広告配信要求を受け付ける。コンテンツ配信要求を受け付けた場合、配信要求受付部３３は、図３に示す情報を取得する。図３に示すように、ユーザ端末５からのコンテンツ配信要求には、コンテンツＩＤ、ユーザＩＤ、ＩＰアドレスなどが含まれる。そして、配信要求受付部３３は、コンテンツ配信要求をコンテンツ配信部３４および広告配信部３２に送信する。
【００３７】
コンテンツ配信部３４は、配信要求受付部３３で得られた情報に基づいて、要求されたコンテンツ情報をコンテンツＤＢ４５より取得して、配信要求元のユーザ端末５へ配信する。ここで配信されるコンテンツ情報としては、前述したように、映画やドラマなどの動画コンテンツ１００である。
【００３８】
広告配信部３２は、配信要求受付部３３で受付けたユーザ端末５からのコンテンツ配信要求に応じた広告情報を広告ＤＢ４４から取得して配信する。このとき、広告配信部３２は、コンテンツ配信部３４から配信される動画コンテンツ１００に対して提供される広告情報の中でも、ユーザＤＢ４３を参照することにより、ユーザ属性に対応した広告情報を配信することができる。
【００３９】
このように、表示制御装置１は、図１に示す動画コンテンツ１００の配信要求を配信要求受付部３３が受け付けると、動画コンテンツ１００に対応する動画広告１１０を、動画コンテンツ１００に先立って広告情報として配信することができる。すなわち、表示制御装置１は、コンテンツ配信部３４および広告配信部３２による処理によって、動画広告１１０、第１の動画コンテンツ１０１、アンケート１２０、第２の動画コンテンツ１０２などを所定のタイミングで配信するストリーム配信ができる。
【００４０】
また、広告配信部３２は、ユーザ端末５へ配信した広告情報、もしくは当該広告情報に関する識別情報をアンケート配信部３１へ送信する。
【００４１】
アンケート配信部３１は、広告配信部３２から受信した広告情報もしくは識別情報から、ユーザ端末５へ配信されている動画広告１１０を識別する。そして、アンケート配信部３１は、動画広告１１０に続いてユーザ端末５に表示される第１の動画コンテンツ１０１の表示終了後に、当該ユーザ端末５に動画広告１１０に関連するアンケート情報を配信する。すなわち、コンテンツ配信部３４は、図１における第１の動画コンテンツ１０１の表示が終わると、第２の動画コンテンツ１０２の配信は停止する。それに代わり、アンケート配信部３１がアンケート情報をユーザ端末５に送信する。このときにアンケート配信部３１から配信されるアンケートは、図１に示すように、例えば、映画の前編である第１の動画コンテンツ１０１の表示終了後であれば、自動車の１５秒広告に関連するアンケート１２０である。
【００４２】
回答取得部３６は、アンケート１２０に対する回答をユーザ端末５から取得する。すなわち、ユーザ端末５を利用するユーザが、アンケート１２０に対する回答を記入し、回答情報としてユーザ端末５を介して送信すると、その回答情報をユーザＩＤとともに受付ける。そして、回答取得部３６は、ユーザ端末５から受け付けた回答情報を、表示制御部３５へ送信する。
【００４３】
また、回答取得部３６は、ユーザ端末５から取得した回答を集計する機能を有する。回答取得部３６は、ユーザ属性毎に回答を集計することで、たとえば、男女別や年代別の回答率を算出することが可能となる。広告主や広告制作者側は、表示制御装置１を有する広告配信側から、かかる集計結果や当該集計結果から導出した広告認知度などのレポートを受けることで、今後の広告戦略などに必要な広告関連情報を効果的に得ることができる。
【００４４】
表示制御部３５は、回答取得部３６により取得した回答情報に基づいて第１の動画コンテンツ１０１に続く第２の動画コンテンツ１０２の表示をユーザ端末５に実行させる。すなわち、ユーザは、アンケートに回答することによって、映画の前編に引き続き、映画の後編の視聴が可能となり、映画全編を無料で視聴することが可能となる。
【００４５】
［３．表示制御の一例］
ここで、実施形態に係る表示制御装置１の表示制御処理の流れについて説明する。図７は、実施形態に係る表示制御装置１の処理の一例を示すフローチャートである。かかる動作は、表示制御装置１の制御部３において繰り返し実行される処理である。
【００４６】
図７に示すように、表示制御装置１の制御部３は、ユーザ端末５からの配信要求を受付けるまで待機しており（ステップＳ１０１：Ｎｏ）、配信要求を受け付けると（ステップＳ１０１：Ｙｅｓ）、配信要求されたコンテンツ情報に対応する広告情報を、コンテンツ情報に先立ってユーザ端末５に表示されるように配信する（ステップＳ１０２）。
【００４７】
続いて、制御部３は、広告情報に続いてユーザ端末５に表示されるように、第１のコンテンツ情報を配信する（ステップＳ１０３）。そして、ユーザ端末５に表示された第１のコンテンツ情報の表示終了後に続いてユーザ端末５に表示されるように、広告情報に関連するアンケート情報を配信する（ステップＳ１０４）。
【００４８】
次に、制御部３は、ユーザ端末５からアンケートに対する回答情報が取得できたか否かを判定し（ステップＳ１０５）、取得したと判定すると（ステップＳ１０５：Ｙｅｓ）、制御部３は処理をステップＳ１０６に移す。
【００４９】
ステップＳ１０６において、制御部３は、取得した回答情報が有効であるか否かを判定する。ここで、有効であると判定する場合としては、アンケートの設問に対し、少なくとも１つの回答が記されていることなどである。
【００５０】
制御部３は、ステップＳ１０６において、有効回答であると判定すると（ステップＳ１０６：Ｙｅｓ）、第２のコンテンツ情報を配信する（ステップＳ１０７）。一方、ステップＳ１０６において、有効回答ではないと判定すると（ステップＳ１０６：Ｎｏ）、制御部３は、第２コンテンツ情報の表示制限を行う（ステップＳ１０８）。
【００５１】
そして、所定時間に達するまで表示制限を継続し（ステップＳ１０９：Ｎｏ）、所定時間が経過すると（ステップＳ１０９：Ｙｅｓ）、制御部３は、この表示制御処理を終了する。
【００５２】
また、ステップＳ１０５において、回答情報を取得していないと判定した場合（ステップＳ１０５：Ｎｏ）、制御部３は、処理をステップＳ１１０に移し、所定時間経過するまで回答情報の取得処理を行う（ステップＳ１１０：Ｎｏ）。そして、回答情報を取得できないまま所定時間が経過すると（ステップＳ１１０：Ｙｅｓ）、制御部３は、この表示制御処理を終了する。
【００５３】
上述の処理において、ステップＳ１０２で配信される広告情報と、ステップＳ１０４で配信されるアンケート情報は、互いに関連して（紐付けられて）いる。したがって、ユーザ端末５からの配信要求を受付けると、互いに関連している広告情報と質問情報とが、第１のコンテンツ情報を挟むように配信される。なお、これら広告情報、第１のコンテンツ情報、質問情報が所望の順序で配信されるのであれば、配信処理については特に限定されるものでもない。
【００５４】
上述してきたように、本実施形態に係る表示制御装置１によれば、動画などのコンテンツ情報を視聴したいユーザの心理を利用して、ユーザが利用するユーザ端末５に対し、より効果的に広告情報を視聴させることのできる表示制御処理を行うことができる。
【００５５】
また、上述してきた実施形態によれば、コンピュータが実行する広告表示方法であって、アンケート配信工程と、回答取得工程と、表示制御工程とを含む表示制御方法が実現される。アンケート配信工程は、動画広告１１０に続いてユーザ端末５に表示される第１の動画コンテンツ１０１の表示終了後に、当該ユーザ端末５に動画広告１１０に関連するアンケート１２０を配信する。回答取得工程は、アンケート情報に対する回答情報をユーザ端末５から取得する。表示制御工程は、回答取得工程により取得した回答情報に基づいて第１の動画コンテンツ１０１に続く第２の動画コンテンツ１０２の表示をユーザ端末５に実行させる。
【００５６】
また、上述してきた実施形態によれば、コンピュータに、アンケート配信手順と、回答取得手順と、表示制御手順とを実行させる表示制御プログラム４１を提供することができる。アンケート配信手順は、動画広告１１０に続いてユーザ端末５に表示される第１の動画コンテンツ１０１の表示終了後に、当該ユーザ端末５に動画広告１１０に関連するアンケートを配信する。回答取得手順は、アンケートに対する回答をユーザ端末５から取得する。表示制御手順は、回答取得手順により取得した回答に基づいて第１の動画コンテンツ１０１に続く第２の動画コンテンツ１０２の表示をユーザ端末５に実行させる。
【００５７】
［４．その他の実施形態］
ところで、第１のコンテンツ情報の配信に先立って配信され、第１のコンテンツ情報よりも前に表示される広告情報は、ユーザ端末５側の操作により、スキップ可能な動画広告情報とすることもできる。その場合、表示制御装置１の制御部３におけるアンケート配信部３１は、スキップされるまでの動画広告情報の内容に関連した設問を含むアンケート情報をユーザ端末５に配信するようにしてもよい。
【００５８】
図８は、広告情報の視聴時間とアンケート内容との関係の一例を示す図である。図示するように、動画広告情報が、前述したような自動車の１５秒広告である場合、例えば、動画広告情報を５秒単位で３分割する。
【００５９】
そして、分割された各分割広告情報の内容に関連付けた設問を用意しておくのである。例えば、図８において、表示時間が００：００〜００：０５の第１の分割広告情報には、動画広告情報の開始から５秒の間に表示される内容を見ていれば答えられるＱ１〜Ｑ３の設問からなる第１のアンケートが配信される。
【００６０】
また、表示時間が００：０６〜００：１０の第２の分割広告情報には、動画広告情報の開始から１０秒の間に表示される内容を見ていれば答えられる設問Ｑ４〜Ｑ６を含むＱ１〜Ｑ６の設問からなる第２のアンケートが配信される。
【００６１】
また、表示時間が００：１１〜００：１５の第３の分割広告情報には、動画広告情報の内容を終わりまで見ていれば答えられる設問Ｑ７〜Ｑ９を含むＱ１〜Ｑ９の設問からなる第３のアンケートが配信される。
【００６２】
このように、スキップされるまでの動画広告情報の内容に関連したアンケートをユーザ端末５に配信するようにすれば、広告に対するユーザの感心度合いや、視聴した範囲に限られるものの、広告に対するユーザ評価などを得ることができる。例えば、第１の分割広告情報の表示中にスキップ操作をしたユーザは、この動画広告情報に全く感心がないと判断することができる。他方、スキップ操作することなく最後まで動画広告情報を視聴したユーザは、この動画広告情報に対して少なくとも何らかの感心があると判断することができる。
【００６３】
また、上述してきた実施形態においては、広告配信部３２は、第１の動画コンテンツ１０１に先立つ動画広告１１０を配信するのみであった。しかし、広告配信部３２は、回答取得部３６によって取得された回答情報に応じて、動画広告１１０とは異なる属性の広告情報を、第２の動画コンテンツ１０２よりも前にユーザ端末５に配信することもできる。
【００６４】
図９は、表示制御装置１による表示制御処理結果の一例を示す概要説明図である。図示するように、アンケート１２０の後には、第１の動画コンテンツ１０１の前に表示された動画広告１１０とは異なる他の動画広告１１１が表示される。
【００６５】
例えば、ユーザ端末５から送信されてきたアンケート結果が、設問に対する回答率が著しく低いような場合、ユーザは、動画広告１１０には興味がなかったものと推定される。そのため、表示制御装置１は、アンケート終了後、動画広告１１０とは異なる属性の動画広告１１１をユーザ端末５に表示させるのである。
【００６６】
このようにすることで、ユーザが興味を示す広告を提供することができ、ユーザの購買意欲を引き出す可能性が高まる。なお、図９においても、図１同様に、動画コンテンツ１００の中で未表示部分は反転表示で示している。
【００６７】
また、ユーザ端末５から送信されてきたアンケート結果が、設問に対する回答率が著しく低いような場合、異なる属性の動画広告１１１ではなく、第１の動画コンテンツ１０１に先立って配信した動画広告１１０を再配信してもよい。
【００６８】
このようにすることで、動画広告１１０を何気なく見過ごしていたユーザに対し、広告対象である商品を深く理解してもらうことが可能となる。
【００６９】
また、上述してきた例では、表示制御装置１が、コンテンツ配信部３４、広告配信部３２を備える構成とした。しかし、図１０に示すように、コンテンツ配信装置７、広告配信装置８を別途備えるシステムを構築することもできる。図１０は、他の実施形態に係る表示制御装置１を含むシステムの一例を示す図である。
【００７０】
すなわち、表示制御装置１は、コンテンツ配信部３４、広告配信部３２は備えることなく、アンケート配信部３１、配信要求受付部３３、回答取得部３６、表示制御部３５を備える構成とするものである。また、コンテンツ配信部３４を残した表示制御装置１と、広告配信装置８とを通信ネットワーク６で接続する構成でもよい。あるいは、広告配信部３２を残した表示制御装置１とコンテンツ配信装置７とを通信ネットワーク６で接続する構成でもよい。
【００７１】
また、上述してきた例では、表示制御装置１による表示制御として説明したが、ユーザ端末に表示制御をさせることもでる。その場合、表示制御装置１は、動画コンテンツ１００の中に、ユーザ端末５に表示制御処理を実行させる所定のプログラムを埋め込んでおけばよい。例えば、ユーザ端末５の制御部が、ダウンロードした動画コンテンツ１００を再生するために読み込んだ際に、アンケート１２０に対する回答を送信する操作を検出しなければ、動画再生を実行しないように設計されたプログラムである。
【００７２】
ここで、かかるプログラムとしては、例えば、回答取得手順と、送信手順と、第２コンテンツ表示手順とをユーザ端末５に実行させる表示制御プログラムが考えられる。回答取得手順では、第１のコンテンツ情報が表示部に表示される前に表示される広告情報に関連し、第１の動画コンテンツの表示終了後に表示される質問情報への回答情報を取得する。また、送信手順では、回答情報または回答情報に応じた情報を含む表示制御要求を、サーバ装置へ送信する。第２コンテンツ表示手順では、表示制御要求に応じてサーバ装置から送信される表示制御情報に基づき、第１のコンテンツ情報に続く第２のコンテンツ情報を表示する。
【００７３】
具体的には、回答取得手順では、第１の動画コンテンツ１０１が、表示部に表示されるよりも前に表示される動画広告１１０に関連し、第１の動画コンテンツ１０１の表示終了後に表示されるアンケート１２０への回答を取得する。また、送信手順では、回答情報または回答情報に応じた情報を含む表示制御要求を、表示制御装置１などのサーバ装置へ送信する。第２コンテンツ表示手順では、表示制御要求に応じて表示制御装置１から送信される表示制御情報に基づき、第１の動画コンテンツ１０１に続く第２の動画コンテンツ１０２を表示する。
【００７４】
あるいは、プログラムとして、第１コンテンツ表示手順と、質問情報表示手順と、回答取得手順と、送信手順と、第２コンテンツ表示手順とをユーザ端末５に実行させる表示制御プログラムでもよい。ここで、第１コンテンツ表示手順では、動画広告１１０に続いて第１の動画コンテンツ１０１を表示部に表示する。質問情報表示手順では、第１の動画コンテンツ１０１の表示終了後に動画広告１１０に関連するアンケート１２０を表示部に表示する。回答取得手順では、アンケート１２０への回答情報を取得する。以下の送信手順、第２コンテンツ表示手順は上述したとおりでよい。
【００７５】
こうして、動画コンテンツ１００をダウンロードしたユーザ端末５は、動画コンテンツ１００の中に含まれるプログラムを読み込み、動画広告１１０と、これに関連するアンケート１２０との配信要求を実行する。これにより、第１の動画コンテンツ１０１の表示前に動画広告１１０が表示部に表示され、第１の動画コンテンツ１０１の終了後にはアンケート１２０が表示される。そして、回答情報に応じて第２の動画コンテンツ１０２が表示される。なお、動画広告１１０やアンケート１２０は、動画コンテンツ１００の中途に埋め込まれたものであってもよい。
【００７６】
上記のプログラムを読み込み、端末側で表示制御を行うユーザ端末５００の構成の一例を図１０に示す。図１０は、他の実施形態に係るシステムに含まれる端末装置の構成の一例を示す図である。
【００７７】
図１０に示すように、ユーザ端末５００は、通信部５２と、表示部５０と、入力部５１と、記憶部５４と、制御部５３とを有する。
【００７８】
通信部５２は、通信ネットワーク６に接続され、この通信ネットワーク６を介して、表示制御装置１との間で情報の送受信を行う。かかる通信部５２は、通信ネットワーク６との接続を有線又は無線で行う。
【００７９】
表示部５０は、各種情報を表示するための表示デバイスであり、例えば、液晶ディスプレイ等である。入力部５１は、ユーザから各種操作を受け付ける入力デバイスであり、例えば、キーボードやマウス等である。
【００８０】
記憶部５４は、動画コンテンツ１００などをはじめとする各種の様々な情報を記憶するデバイスである。記憶部５４としては、例えば、ＲＡＭ、フラッシュメモリなどの半導体メモリ素子や、ハードディスク、光ディスクなどの記憶装置が用いられる。記憶部５４は、制御部５３で実行されるＯＳや表示制御プログラムなどの各種プログラムも記憶する。
【００８１】
制御部５３は、例えば、ＣＰＵやＭＰＵ等によって、ユーザ端末５００内部の記憶装置に記憶されているウェブブラウザ等と呼ばれるアプリケーションプログラム（表示制御プログラムの一例にも相当する）がＲＡＭを作業領域として実行されることにより実現される。また、制御部５３は、例えば、ＡＳＩＣやＦＰＧＡ等の集積回路により実現される。
【００８２】
かかる制御部５３は、図１０に示すように、表示制御部５３１と、回答取得部５３２と、リクエスト送信部５３３とを備える。そして、制御部５３は、以下に説明する情報処理の機能や表示制御処理の作用を実現または実行する。なお、制御部５３の内部構成は、図１０に示した構成に限られず、後述する情報処理を行う構成であれば他の構成であってもよい。また、制御部５３内部の各処理部の接続関係は、図１０に示した接続関係に限られず、他の接続関係であってもよい。
【００８３】
リクエスト送信部５３３は、入力部５１を用いたユーザ操作や表示制御プログラムに従って、動画コンテンツ１００の取得要求を表示制御装置１に送信する。また、リクエスト送信部５３３は、動画コンテンツ１００に先立って表示する動画広告１１０の取得要求を表示制御装置１に送信する。また、リクエスト送信部５３３は、動画コンテンツ１００として取得した第１の動画コンテンツ１０１の表示が終了する前に、アンケート１２０の取得要求を表示制御装置１に送信する。また、リクエスト送信部５３３は、回答取得部５３２で取得した回答情報または当該回答情報に応じた情報を含む表示制御要求を表示制御装置１に送信する。また、リクエスト送信部５３３は、表示制御要求に応じて表示制御装置１から送信される表示制御情報に基づき、第１の動画コンテンツ１０１に続く第２の動画コンテンツ１０２の取得要求を表示制御装置１に送信する。さらに、リクエスト送信部５３３は、かかる取得要求に応答して表示制御装置１から送信される情報を取得する。
【００８４】
表示制御部５３１は、リクエスト送信部５３３によって取得された動画コンテンツ１００や動画広告１１０などを表示部５０に表示する。また、表示制御部５３１は、表示制御プログラムにしたがって、表示中の動画コンテンツ１００の表示を制限したり、制限を解除したりする処理などを行う。
【００８５】
回答取得部５３２は、リクエスト送信部５３３で取得したアンケート１２０への回答情報を取得する。また、回答取得部５３２は、取得した回答情報から、例えば回答数、テキスト回答であれば文字数などからその内容を解析して、ユーザ端末５００を利用しているユーザによる動画広告１１０の理解度や認知度などを判定することができる。
【００８６】
上述してきた例では、動画コンテンツ１００はユーザ端末５にストリーム配信されるものとして説明したが、ダウンロード配信であっても構わない。
【００８７】
［５．ハードウェア構成］
なお、実施形態における表示制御装置１は、例えば、図１１に示すような構成のコンピュータ９０によって実現される。図１１は、表示制御装置１の機能を実現するコンピュータ９０の一例を示すハードウェア構成図である。コンピュータ９０は、ＣＰＵ（Central  Processing  Unit）９１、ＲＡＭ（Random  Access  Memory）９２、ＲＯＭ（Read  Only  Memory）９３、ＨＤＤ（Hard  Disk  Drive）９４、通信インターフェース（Ｉ／Ｆ）９５、入出力インターフェース（Ｉ／Ｆ）９６、およびメディアインターフェース（Ｉ／Ｆ）９７を備える。
【００８８】
ＣＰＵ９１は、ＲＯＭ９３またはＨＤＤ９４に格納されたプログラムに基づいて動作し、各部の制御を行う。ＲＯＭ９３は、コンピュータ９０の起動時にＣＰＵ９１によって実行されるブートプログラムや、コンピュータ９０のハードウェアに依存するプログラム等を格納する。
【００８９】
ＨＤＤ９４は、ＣＰＵ９１によって実行されるプログラムおよび当該プログラムによって使用されるデータ等を格納する。通信インターフェース９５は、通信部２に対応し、通信ネットワーク６を介して他の機器からデータを受信してＣＰＵ９１へ送り、ＣＰＵ９１が生成したデータを、通信ネットワーク６を介して他の機器へ送信する。
【００９０】
ＣＰＵ９１は、入出力インターフェース９６を介して、ディスプレイやプリンタ等の出力装置、および、キーボードやマウス等の入力装置を制御する。ＣＰＵ９１は、入出力インターフェース９６を介して、入力装置からデータを取得する。また、ＣＰＵ９１は、生成したデータを、入出力インターフェース９６を介して出力装置へ出力する。
【００９１】
メディアインターフェース９７は、記録媒体９８に格納されたプログラムまたはデータを読み取り、ＲＡＭ９２を介してＣＰＵ９１に提供する。ＣＰＵ９１は、当該プログラムを、メディアインターフェース９７を介して記録媒体９８からＲＡＭ９２上にロードし、ロードしたプログラムを実行する。記録媒体９８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００９２】
コンピュータ９０が表示制御装置１として機能する場合、コンピュータ９０のＣＰＵ９１は、ＲＡＭ９２上にロードされたプログラムを実行することにより、アンケート配信部３１、広告配信部３２、配信要求受付部３３、コンテンツ配信部３４、表示制御部３５、回答取得部３６の各機能を実現する。また、ＨＤＤ９４は、記憶部４の機能を実現し、アンケートＤＢ４２、ユーザＤＢ４３、広告ＤＢ４８およびコンテンツＤＢ４５などが格納される。
【００９３】
コンピュータ９０のＣＰＵ９１は、これらのプログラムを、記録媒体９８から読み取って実行するが、他の例として、他の装置から、通信ネットワーク６を介してこれらのプログラムを取得してもよい。
【００９４】
［６．効果］
実施形態に係る表示制御装置１は、アンケート配信部３１と、回答取得部３６と、表示制御部３５とを備える。アンケート配信部３１は、広告情報に続いてユーザ端末５に表示される第１のコンテンツ情報の表示終了後に、ユーザ端末５に広告情報に関連するアンケート１２０を配信する。回答取得部３６は、アンケート１２０に対する回答情報であるアンケート結果をユーザ端末５から取得する。表示制御部３５は、回答取得部３６により取得した回答情報に基づいて第１の動画コンテンツ１０１に続く第２の動画コンテンツ１０２の表示をユーザ端末５に実行させる。
【００９５】
このように、表示制御装置１は、ユーザ端末５を利用してコンテンツを閲覧しようとするユーザに対し、先ず広告を閲覧させた後に第１の動画コンテンツ１０１を閲覧させ、次いで、アンケート１２０の入力を求める。そして、表示制御装置１は、ユーザからのアンケート結果に基づいて、第１の動画コンテンツ１０１に続く第２の動画コンテンツ１０２の表示をユーザ端末５に実行させるため、第１の動画コンテンツ１０１に先立ってユーザ端末５に表示される動画広告１１０を、より確実にユーザに閲覧させることが可能となる。したがって、広告の訴求効果をより高めることができる。
【００９６】
また、表示制御装置１の表示制御部３５は、回答取得部３６によって取得された回答情報に応じて、ユーザ端末５による第２の動画コンテンツ１０２の表示を制限する。
【００９７】
したがって、ユーザのアンケート１２０への真摯な回答が期待でき、例えば広告主は所望する広告関連情報の取得を図ることができる。
【００９８】
また、実施形態に係る表示制御装置１では、広告情報は所定のタイミングでスキップ可能な動画広告１１０であり、アンケート配信部３１は、スキップされるまでの動画広告１１０の内容に関連した設問を含むアンケート１２０をユーザ端末５に配信する。
【００９９】
これにより、例えば、広告に対するユーザの感心度合いや、視聴した範囲に限られるものの、広告に対するユーザ評価などを得ることができる。
【０１００】
また、実施形態に係る表示制御装置１は、回答取得部３６によって取得された回答情報に応じて、第１の動画コンテンツ１０１の前に表示された動画広告１１０とは異なる属性の動画広告を、第２の動画コンテンツ１０２よりも前にユーザ端末５に配信する広告配信部３２を備える。
【０１０１】
そのため、例えば、ユーザが当初の動画広告１１０にさほど興味がないと判断された場合などは、引き続いて異なる属性の動画広告を配信できるため、改めて購買意欲を引き出すことが可能となる。
【０１０２】
また、実施形態に係る表示制御装置１は、回答取得部３６によって取得された回答情報に応じて、動画広告１１０を、第２の動画コンテンツ１０２よりも前に、ユーザ端末５に再配信する広告配信部３２を備える。
【０１０３】
そのため、動画広告１１０を何気なく見過ごしていたユーザに対し、広告対象である商品を深く理解してもらうことができる。
【０１０４】
また、実施形態に係る表示制御装置１の回答取得部３６は、取得した回答情報を集計可能である。
【０１０５】
したがって、集計結果や当該集計結果から導出した広告認知度などを知ることで、今後の広告戦略などに必要な広告関連情報を効果的に得ることができる。
【０１０６】
また、表示制御装置１の広告配信部３２は、第１のコンテンツ情報を表示中のユーザ端末５を利用するユーザの属性に対応付けられた広告情報をユーザ端末５に配信する。
【０１０７】
したがって、より訴求効果の高い広告情報を配信することができ、広告効果を高めることができる。
【０１０８】
また、実施形態に係る表示制御装置１が表示制御する第２のコンテンツ情報は、第１のコンテンツ情報の続きである。
【０１０９】
これにより、コンテンツ情報全編の視聴を願うユーザであれば、第１のコンテンツの前に表示される広告情報を真摯に閲覧する可能性が高くなるため、広告効果を高めることができる。
【０１１０】
［７．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１１】
上述した表示制御装置１は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０１１２】
１  表示制御装置
５  ユーザ端末（端末装置）
６  通信ネットワーク
３１  アンケート配信部
３２  広告配信部
３４  コンテンツ配信部
３５  表示制御部
３６  回答取得部
【図１】
0006038829.tif 000002
【図２】
0006038829.tif 000003
【図３】
0006038829.tif 000004
【図４】
0006038829.tif 000005
【図５】
0006038829.tif 000006
【図６】
0006038829.tif 000007
【図７】
0006038829.tif 000008
【図８】
0006038829.tif 000009
【図９】
0006038829.tif 000010
【図１０】
0006038829.tif 000011
【図１１】
0006038829.tif 000012
【図１２】
0006038829.tif 000013